(57)【要約】【課題】  豆類の収穫では、搬送するコンベヤに噛込みを生じたり、グレンタンクの穀圧で搬送抵抗が増大して損傷粒になるために昇降機を装備するが、稲麦を収穫する場合の排出距離が該昇降機では短くなり、排出する方向も制約される課題がある。【解決手段】  脱穀部に並設したグレンタンクの後方を中心に排出オーガが旋回するコンバインにおいて、グレンタンク１の外側面２に昇降機５を併設し、駆動軸６を回動支点Ｐにして該グレンタンク１の前方側から後方へ該昇降機５を傾倒させ、排出オーガ１０の収納下面１１よりも下方に収納するとともに供給口７と穀粒取出し口３を連結する流下樋８が前記穀粒取出し口３から分離するように移動でき、しかも、供給口７からも脱着ができる昇降機の収納装置にしたものである。【選択図】  図１
2006081455.tif 000002
【特許請求の範囲】
【請求項１】
走行装置を備えた機台上に脱穀部と並行するグレンタンクを搭載し、その後方を中心に排出オーガが旋回するコンバインの穀粒取出し装置において、グレンタンク（１）の外側面（２）に穀粒取出し口（３）を設け、該穀粒取出し口（３）に隣設する昇降機（５）の駆動軸（６）を回動支点（Ｐ）にし、前記グレンタンク（１）の前方側から後方へ昇降機（５）を回動可能に構成したことを特徴とするコンバインの昇降機収納装置。
【請求項２】
昇降機（５）の供給口（７）と穀粒取出し口（３）を連結する流下樋（８）を設け、前記昇降機（５）の回動に連動して該穀粒取出し口（３）から離脱する構成にするとともに前記流下樋（８）を脱着自在に構成したことを特徴とする請求項１に記載したコンバインの昇降機収納装置。
【請求項３】
傾倒する昇降機（５）の受け部材（１２）を機体の外枠（１５）から外側方へ延設し、排出オーガ（１０）の収納下面（１１）よりも下方に前記昇降機（５）を収納させたことを特徴とする請求項１、又は請求項２に記載したコンバインの昇降機収納装置。
【発明の詳細な説明】
【技術分野】
【０００１】
本発明は、大豆小豆等の豆類と稲麦の収穫に使用されるコンバインの穀粒取出し装置において、搭載したグレンタンクから穀粒を排出する昇降機の収納装置に関するものである。
【背景技術】
【０００２】
従来油圧シリンダーによって、昇降機が機体から突出する上方をグレンタンクの上部高さに設けたヒンジ回りに折畳み水平状態に収納するものがあり、別途の実施例にバケットエレベータを内設した昇降機の下端にプーリ軸を設け、該プーリ軸回りに該昇降機を前後方向に起伏回動できる形態にし、この起伏回動を排出オーガの昇降旋回に連動させるために、前記昇降機と排出オーガとの間に連結部材を設けたものがある（例えば特許文献１参照。）。しかしながら、前記昇降機がグレンタンクの後方に設置されて前方の運転席側に起伏する構成であり、これを後方へ傾倒すれば機体から突出する収納姿勢になることから機体全長を規制したものでない。
【０００３】
【特許文献１】特開平０５−２１９８２６号公報（第２、４−５頁、第１、５−６図）
【発明の開示】
【発明が解決しようとする課題】
【０００４】
麦粒や籾径に比べて豆類は大径であり、搬送するコンベヤの外周隙間に噛込み損傷粒を生じたり、豆類の穀圧がグレンタンクの底部で増大して搬送時に潰れたりするために穀粒排出に昇降機を装備するが、排出オーガに比べて該昇降機の上方が機体から突出して路上走行の障害になったり、収穫量の多い稲麦を遠方に排出するには前記昇降機では排出距離が短くなる課題がある。
【課題を解決するための手段】
【０００５】
このような課題を解消する本発明は、機台上に脱穀部と並行するグレンタンクを搭載し、その後方を中心に排出オーガが旋回するコンバインの穀粒取出し装置において、グレンタンクの外側面に穀粒取出し口を設け、該穀粒取出し口に隣設する昇降機の下方に装備した駆動軸を回動支点にし、前記グレンタンクの前方側から後方へ昇降機を回動可能に構成し、機体の側面内に収納して機体全長に影響しない傾倒位置にし、運転席への乗降も自由に行える昇降機の収納装置にした。
【０００６】
昇降機の供給口と穀粒取出し口を連結する流下樋を設け、前記昇降機の回動に連動して該穀粒取出し口から流下樋が離脱する構成にするとともに、前記流下樋を供給口から脱着自在に構成し、バケットコンベヤを通過することなく貯留した穀粒を機外に直接放出させる経路に切り替る構造にした。
【０００７】
傾倒する昇降機の受け部材を機体の外枠から外側方に延設し、排出オーガの収納下面よりも下方に前記昇降機を収納させ、稲麦の収穫時に使用する排出オーガの旋回範囲を妨げない昇降機の収納装置にした。
【発明の効果】
【０００８】
従来のグレンタンク１に穀粒が充満された状態になると、下部に設けた横コンベヤ３１に作用する穀圧が上昇して搬送抵抗が高まり、豆類の潰れやコンベヤの外周隙間に噛込み損傷粒を生じる。これを防止するために該横コンベヤ３１の上方を塞ぐ脱着自在の棚板３２を設け、コンベヤを介在させない排出経路にするとともに穀粒取出し口３から流下樋８を経て昇降機５に供給する構成にし、豆類と稲麦を個別に設けた昇降機５と排出オーガ１０に切替えて搬送する排出経路にしたものである。しかも、該排出オーガ１０の収納下面１１よりも下方に前記昇降機５を傾倒させる受け部材１２を機体の外枠１５から外側方に延設したので、稲麦を放出する前記排出オーガ１０の旋回を妨げない収納姿勢になり、従来の遠方に排出する機能が維持され収穫作業の適応性が拡大した。又、昇降機５を用いた作業状態で流下樋８を脱着することによって穀粒取出し口３の前方が開放され、穀粒を直接機外に排出できるようになり、袋詰めの作業や残留豆の取出しが容易に行える利点がある。
【発明を実施するための最良の形態】
【０００９】
次に、本発明の実施形態をグレンタンクに対設した昇降機の実施例図を参照にして構造の概要を述べる。図１はコンバインの右側を示す全体側面図であって、図２のグレンタンクの要部を断面した後面図を併用して説明すると、一対のクローラ走行装置１６に支持された機台１７上の左側に脱穀部Aを配置し、平行する右側の前方から運転席１８とグレンタンク１を連設してあり、その後方にエンジンルーム２０の順に直列に搭載し、該脱穀部Aの前方を回動中心に昇降する刈取部２１を前記運転席１８の左側に装着して、刈高さを調整しながら機体の全面で植立穀稈を刈取り前記脱穀部Aに供給する形態であり、脱穀処理と選別をした良穀粒を一番コンベヤ２２で集穀し、継設する揚穀コンベア２３で前記グレンタンク１に揚送して穀粒を一時貯留する構成にしてある。このコンバインは、主として大豆小豆等の豆類と稲麦の収穫に使用される。
【００１０】
機体の側方に配置したグレンタンク１は、積載する穀粒の重量変化によって機体バランスを崩し易くなるために、クローラ１９上に搭載して安定走行をするようにしているが、機体の終端に立設する縦コンベヤ２５はエンジンルーム２０の後方に配置され、これに連結する排出オーガ１０の放出距離が後方に伸長して旋回範囲を拡大させた構造になっている。このような配置において豆類を排出する昇降機５をグレンタンク１の外側面２に別途設置し、かつ、後方へ傾倒する収納自在の構成にして前記排出オーガ１０と切替えを可能にした排出経路にしてある。
【００１１】
次に本発明の要旨である昇降機の構造について説明すると、グレンタンク１から豆類を取出す手段は、該グレンタンク１の下部に架設した横コンベヤ３１を覆うように折畳み自在の棚板３２を設け、外側面２の下方に開口した穀粒取出し口３に向けて傾斜する構成にし、矢印ロの方向に開閉するシャッター５７によって豆類を一時貯留するタンク構造にしてある。又、作業状態で直立する昇降機５の供給口７と前記グレンタンク１の取出し口３を接続する流下樋８を装備したものである。
【００１２】
このような昇降機を回動自在に装着した構成を図１の全体側面図と、図３の昇降機の駆動部を示す断面図に図4の流下樋の要部を断面した平面図を併用して説明すると、グレンタンク１の外側面２と昇降機５との間にベベルケース３７を設け、バケットコンベヤ４３を回転させる駆動軸６に入力するために、入力ケース３８を該グレンタンク１の前面３３に至る間に延設させ、入力軸４０の軸端に設けたプーリ４１と、横コンベヤ３１の軸端に設けた出力プーリ４５にVベルト４２を巻き掛けて、スプロケット３５を回転させて穀物を前記バケットコンベヤ４３で揚送し、グレンタンク１の上部よりも相当高い位置から放出ホッパー４６に投入して所定の収納容器に穀粒を取出すものである。
【００１３】
運転席１８よりも高くなる昇降機５は、路上走行の障害になったり屋内に格納することが困難になるために、該運転席１８よりも低い位置に収納する技術が知られているが、本発明は豆類と稲麦の穀粒を前記昇降機５と排出オーガ１０に切替えて搬送する個別の排出経路にしたものであるから、稲麦の収穫作業をする場合は前記排出オーガ１０の旋回を妨げない低い傾倒姿勢に昇降機５を収納させたものである。これを挟持するU字形の受け部材１２をエンジンルーム２０の外枠１５から外側方に延設させ、該エンジンルーム２０と前記昇降機５との間に冷却風の通気隙間を形成して吸気口７７への外気導入を可能にするとともに、稲麦の収穫作業における遠方に排出する機能を維持した昇降機の収納装置にしたものである。
【００１４】
昇降機５を回動させる回動支点Pの構造は、図3の断面図にも示すように入力軸４０に直行する駆動軸６を中心に昇降機５を後方へ回動するものであって、グレンタンク１側に固着したべベルケース３７内で入力軸４０に設けたベベルギヤ４７ａと、駆動軸６に設けたベベルギヤ４７ｂを噛合させ、該昇降機５側の下部メタル５２を前記べベルケース３７の先端部に嵌入させた回動自在のケース構造にし、前記駆動軸６の軸端に止め輪５３を嵌着させて置決めをする一方、前記昇降機５の外面に突出する駆動軸６に機台１７から延設した支え台にメタル５５を嵌着させ、前記昇降機５の両側面で支持された回動構造になり、ベベルギヤ４７ａ、４７ｂが噛み合ったまま傾倒を可能にした回動支点Pである。
【００１５】
図6は流下樋の斜視図であって、図1の全体側面図と図2の断面図を併用して昇降機側に設けた流下樋の構造を説明すると、グレンタンク1内に設けた緩傾斜の棚板３２に連通する穀粒取出し口３に対してシャッター５７を設け、外側面２に添設したレール部材５８によって該シャッター５７を摺動自在に挟持したものである。この穀粒取出し口３と昇降機５の供給口７を接続する流下樋８を該昇降機５の側方に設け、タンク側に固設した放出樋６０に臨ませて供給経路を形成し
、矢印イ方向に傾倒する前記昇降機５とともに図1に鎖線で示すように該放出樋６０から流下樋８が分離して移動するものである。
【００１６】
このような穀粒取出し口３の先方に柔軟材で成形したシール６１を接着して流下樋８と放出樋６０の接合部を構成し、昇降機５に供給する経路が密封されて穀粒が前記流下樋８内に充満しても溢流せず、しかも、自然流下であるためにバケットコンベヤ４３の取込み量と供給側のバランスが自動的に保持される供給経路にしたものである。又、該流下樋８を昇降機５に締結するノブボルト６２で取外しが行えるようにし、穀粒取出し口３の前方を開放してグレンタンク１に貯留する豆類等を直接機外に取出したり、圃場内で少量の穀粒を任意に回収すことを可能にしたものである。尚、この穀粒取出し口３に対して籾袋等を装着できる袋受け棒を装備すれば穀粒の取出し作業を一層行い易くするものである。
【００１７】
図5は昇降機を収納する受け部材の斜視図であって、図1の全体側面図と図２のグレンタンクを断面した後面図を併用して傾倒する昇降機の支持構造を説明すると、直立した作業状態の昇降機５を固定するためにグレンタンク１の上面から固定座６３を延設させ、これに対向する昇降機５側に支持板６４を設けて固定ボルト６５で螺着するものである。傾倒する昇降機５の収納は、前述したように回動支点Pを中心にグレンタンク１の前方から後方へ傾倒し、エンジンルーム２０の外枠１５に螺着した取付け具６６を介してＵ字形の受け部材１２を該エンジンルーム２０の外側方に突設させて、傾倒姿勢になった前記昇降機５を挟持するものである。
【００１８】
このような傾倒姿勢は、稲麦の収穫作業で活用する排出オーガ１０の旋回を妨げない収納下面１１より低い位置に収納され、従来の遠方に搬送する排出オーガ１０の機能を維持するとともにコンバインの右側面内に収設され、路上走行の安全性も確保できるものである。又、傾倒姿勢で生じる前記昇降機５の振動や横振れを防止するパット６７を受け部材１２の内面に張設し、振動の吸収と擦傷の発生を防止したものである。
【００１９】
図7はグレンタンクの回動を支持するリンク機構の実施例図であって、脱穀部Aとグレンタンク1との間に設けた揚穀コンベヤ２３や駆動装置（図示せず）の点検整備を行うために、横コンベヤ３１を中心に機体の外側方向にグレンタンク１を回動させるが、これを規制する手段として前記グレンタンク１の内壁７１と脱穀側板７２に基部座７３と支持座７５を個別に設けて、これを連結するように一対の上規制リンク６９と下規制リンク７０を中折れ自在に装着し、タンク回動時に該リンク機構が伸張して前記グレンタンク１の倒れを規制した実施例である。尚７４は、上下規制リンク６９、７０と接続したリンクアームであって、前記グレンタンク１の傾倒角度を調節するものである。
【００２０】
以上説明したように、横コンベヤ３１の上方を塞ぐ棚板３２をタンク内に設け
、連通する穀粒取出し口３から流下樋８を介してグレンタンク１の前方側に設置した昇降機５に穀粒を供給する構成にし、豆類と稲麦を個別に設けた昇降機５と排出オーガ１０に切替えて搬送する排出経路にするとともに、前記排出オーガ１０の旋回を妨げない該昇降機５の収納姿勢にしたので、稲麦を遠方に搬送する従来の排出機能が維持され、しかも、異種の穀物に対して個別に排出経路の切替えができるようになり収穫作業の適応性が拡大した。又、昇降機５を用いた作業状態で流下樋８を脱着することで穀粒取出し口３の前方が開放され、直接機外に穀粒の排出が行え袋詰めや残留豆等の取出しが容易に行える構成にしたものである。
【産業上の利用可能性】
【００２１】
穀粒径の異なる異種の収穫物に対して、バケットコンベヤとスクリューコンベヤによる排出手段を切替え可能の構造にし、機外搬出を安定して行い仕上がり穀粒の品質を確保する搬送装置に活用できる。
【図面の簡単な説明】
【００２２】
【図１】コンバインの右側を示す全体側面図である。
【図２】グレンタンクの要部を断面した後面図である。
【図３】昇降機の駆動部を示す断面図である。
【図４】流下樋の要部を断面した平面図である。
【図５】昇降機を収納する受け部材の斜視図である。
【図６】流下樋の斜視図である。
【図７】グレンタンクの回動を支持するリンク機構の実施例図である。
【符号の説明】
【００２３】
Ａ・・脱穀部          Ｐ・・回動支点
１・・グレンタンク    ２・・外側面            ３・・穀粒取出し口
５・・昇降機          ６・・駆動軸            ７・・供給口
８・・流下樋        １０・・排出オーガ      １１・・収納下面
１２・・受け部材      １５・・外枠            ２０・・エンジンルーム
３１・・横コンベヤ    ３２・・棚板            ３３・・前面
３５・・スプロケット  ３７・・ベベルケース    ３８・・入力ケース
４０・・入力軸        ４１・・プーリ          ４３・・バケットコンベヤ
４７・・ベベルギヤ    ５７・・シャッター      ５８・・レール部材
６０・・放出樋        ６１・・シール
矢印イ・・昇降機の回動方向
【図１】
2006081455.tif 000003
【図２】
2006081455.tif 000004
【図３】
2006081455.tif 000005
【図４】
2006081455.tif 000006
【図５】
2006081455.tif 000007
【図６】
2006081455.tif 000008
【図７】
2006081455.tif 000009